(57)【要約】      （修正有）【課題】電線が金属電線管の切口に当たらないようにすることで電線に傷を付けず、スムーズに通線できるようにし、また、通線終了後も管路に挿入した状態にすることにより、長期に渡り電線保護を可能にする。【解決手段】通線保護ブッシング４は、円筒形の片側にツバを設けてツバ管とし、円筒形の外形寸法は各種の電線管路の内径寸法とし、円筒形の長さは１５０ｍ／ｍから２００ｍ／ｍとして、各種管路のサイズで長尺を決める。ツバの長さは電線管の直径の２倍とし、円筒形の肉厚は３ｍ／ｍとし、ツバ部分の肉厚は１０ｍ／ｍから２０ｍ／ｍとする。材質は合成樹脂製とする。【選択図】図３
0003141228.tif 000002
【実用新案登録請求の範囲】
【請求項１】
電線管用通線保護ブッシング。
【考案の詳細な説明】
【技術分野】
【０００１】本考案に係る通線保護ブッシングは、主に既設電線管の通線作業時、電線管の出口で、電線の傷防止用に使用する。又、通線完了後は、電線管等の電線出口に傷防止用と絶縁物として使用する。
【技術背景】
【０００２】既設配管の絶縁物が腐食して、機能をしていない絶縁物が多い。
【考案の開示】
【考案が解決しようとする課題】
【０００３】しかし、これでは、通線をする際に、電線に傷が付きやすい。
【課題を解決するための手段】
【０００４】そこで、配管２に通線保護ブッシング４を入れるのを考案した（図２）。
又、図４に示すように、配管に入れる際、らくに入るように、通線保護ブッシングの片側に割り込みが入るタイプを考案した。
【考案の効果】
【０００５】よって、本考案の通線保護ブッシングにより、通線をするとき、電線に傷が付かない、通線はスムーズにできる。
又、通線完了後、新たに電線保護と絶縁物としても使用できる。
【考案を実施するための最良の形態】
【０００６】本考案に係る通線保護ブッシングは、図３に示すように、配管に入れる部分とヘッド部分が設置され、サイズは配管種類及び配管サイズに応じて決めればよい。
通線するとき、通線保護ブッシングが抜けないよう、配管に入れる部分の外径は配管の内径とぴったり合うのはポイントです。材質はゴム又は合成樹脂で形成することが望ましい。
【図面の簡単な説明】
【０００７】
【図１】既設ハンドホール等に入る配管の配線状況図。
【図２】本考案に係る通線保護ブッシング入り配管の配線状況図。
【図３】本考案に係る通線保護ブッシングの拡大図とサイズ例。
【図４】本考案に係る片側に割り込み入りタイプ通線保護ブッシングの拡大図。
【符号の説明】
【０００８】１      ハンドホール
２      配管
３      電線
４      通線保護ブッシング
【図１】
0003141228.tif 000003
【図２】
0003141228.tif 000004
【図３】
0003141228.tif 000005
【図４】
0003141228.tif 000006
【手続補正書】
【提出日】平成19年10月2日(2007.10.2)
【手続補正１】
【補正対象書類名】実用新案登録請求の範囲
【補正対象項目名】全文
【補正方法】変更
【補正の内容】
【実用新案登録請求の範囲】
【請求項１】
電線管用通線保護ブッシング。
当該申請品物は、主に電気工事の既設地中配管に使用する電線管路用絶縁物と既設管路のハンドホール内の電線出口に使用する。
ハンドホール内の既設管路の配線引替工事に際し、新しい電線に入替作業中に電線が損傷しないよう通線保護ブッシングを考案した。
実際に作業中使用したが、電線に傷も出来ず、作業終了後も管路に挿入した状態にすることにより、長期に渉り電線保護が可能となる。
当該申請品物は、円筒形の片側にツバを設けてツバ管とします。円筒形の外形寸法は各電線管路の内径寸法とし、円筒形の長さは１５０ｍ／ｍから２００ｍ／ｍとして各管路のサイズで長尺を決めます。
ツバの直径は電線管の直径の２倍とします。円筒形の肉厚は３ｍ／ｍとし、ツバ部分の肉厚は１０ｍ／ｍから２０ｍ／ｍとすることにより管路の端末に入線する際の電線損傷を回避出来、その為厚めにするものです。
また既設配線に挿入する為、一辺に割りを入れ既設電線に割り入れ込むことが出来るようにする構造にする。
なお材質は、合成樹脂製とゴム製の二種類です。
【手続補正２】
【補正対象書類名】明細書
【補正対象項目名】全文
【補正方法】変更
【補正の内容】
【考案の詳細な説明】
【技術分野】
【０００１】本考案に係る通線保護ブッシングは、主に既設電線管の通線作業時、電線管路の出口で、電線の傷防止用に使用する。又、通線完了後は、電線管等の電線出口に傷防止用と絶縁物として使用する。
【技術背景】
【０００２】既設配管の出口に絶縁物が腐食して、機能をしていない絶縁物が多く、またそれが取れている場合も多い。（図１）
【考案の開示】
【考案が解決しようとする課題】
【０００３】  しかし、これでは、通線をする際に電線が金属電線管の切り口に当って、電線に傷が付きやすい。（図１）
【課題を解決するための手段】
【０００４】そこで、既設配管２の出口に通線保護ブッシング５を入れるのを考案した（図２）。又、図４に示すように、既設配線に割り入れ込むことが出来るよう、一辺に割りを入れたタイプを考案した。
【考案の効果】
【０００５】  よって、本考案の通線保護ブッシングにより通線をするとき、電線が金属電線管の切口に当らないので、電線に傷が付かない、通線はスムーズにできる。
また通線終了後も管路に挿入した状態にすることにより、長期に渉り電線保護が可能となる。
【考案を実施するための最良の形態】
【０００６】本考案に係る通線保護ブッシングは、図４に示すように、円筒形の片側にツバを設けてツバ管とします。円筒形の外形寸法は各種の電線管路の内径寸法とし、円筒形の長さは１５０ｍ／ｍから２００ｍ／ｍとして各種管路のサイズで長尺を決める。ツバの長さは電線管の直径の２倍とする、円筒形の肉厚は３ｍ／ｍとし、ツバ部分の肉厚は１０ｍ／ｍから２０ｍ／ｍとする。
材質は合成樹脂製とゴム製の二種類とする。
【図面の簡単な説明】
【０００７】
【図１】既設配管の電線入替作業時配線と配管の角度図。
【図２】本考案に係る通線保護ブッシング入り配管の配線状況図。
【図３】本考案に係る通線保護ブッシングの拡大図とサイズ例。
【図４】本考案に係る一辺に割り込み入りタイプ通線保護ブッシングの拡大図。
【符号の説明】
【０００８】  １      既設ハンドホール
２      埋設既設配管
３      電線入替作業時入替角度
４      入替作業時電線の損傷しやすい箇所
５      本考案の通線保護ブッシング
【手続補正書】
【提出日】平成19年12月19日(2007.12.19)
【手続補正１】
【補正対象書類名】実用新案登録請求の範囲
【補正対象項目名】全文
【補正方法】変更
【補正の内容】
【実用新案登録請求の範囲】
【請求項１】
電線管用通線保護ブッシング。
当該申請品物は、主に電気工事の既設地中配管に使用する電線管路用絶縁物と既設管路のハンドホール内の電線出口に使用し、
ハンドホール内の既設管路の配線引替工事に際し、新しい電線に入替作業中に電線が損傷しないよう通線保護ブッシングを考案した、
実際に作業中使用したが、電線に傷も出来ず、作業終了後も管路に挿入した状態にすることにより、長期に渡り電線保護が可能となる、
当該申請品物は、円筒形の片側にツバを設けてツバ管とします、円筒形の外形寸法は各電線管路の内径寸法とし、円筒形の長さは１５０ｍ／ｍから２００ｍ／ｍとして各管路のサイズで長尺を決めます、
ツバの直径は電線管の直径の２倍とします、円筒形の肉厚は３ｍ／ｍとし、ツバ部分の肉厚は１０ｍ／ｍから２０ｍ／ｍとすることにより管路の端末に入線する際の電線損傷を回避出来、その為厚めにするものです、
また既設配線に挿入する為、一辺に割りを入れ既設電線に割り入れ込むことが出来るようにする構造にする、材質は合成樹脂で製作する通線保護ブッシングです。
【手続補正２】
【補正対象書類名】明細書
【補正対象項目名】全文
【補正方法】変更
【補正の内容】
【考案の詳細な説明】
【技術分野】
【０００１】本考案に係る通線保護ブッシングは、主に既設電線管の通線作業時、電線管路の出口で、電線の傷防止用に使用する。又、通線完了後は、電線管等の電線出口に傷防止用と絶縁物として使用する。
【技術背景】
【０００２】既設配管の出口に絶縁物が腐食して、機能をしていない絶縁物が多く、またそれが取れている場合も多い。（図１）
【考案の開示】
【考案が解決しようとする課題】
【０００３】しかし、これでは、通線をする際に電線が金属電線管の切り口に当って、電線に傷が付きやすい。（図１）
【課題を解決するための手段】
【０００４】そこで、既設配管２の出口に通線保護ブッシング５を入れるのを考案した（図２）。
又、図４に示すように、既設配線に割り入れ込むことが出来るよう、一辺に割りを入れたタイプを考案した。
【考案の効果】
【０００５】よって、本考案の通線保護ブッシングにより通線をするとき、電線が金属電線管の切口に当らないので、電線に傷が付かない、通線はスムーズにできる。
また通線終了後も管路に挿入した状態にすることにより、長期に渡り電線保護が可能となる。
【考案を実施するための最良の形態】
【０００６】本考案に係る通線保護ブッシングは、図４に示すように、円筒形の片側にツバを設けてツバ管とします。円筒形の外形寸法は各種の電線管路の内径寸法とし、円筒形の長さは１５０ｍ／ｍから２００ｍ／ｍとして各種管路のサイズで長尺を決める。
ツバの長さは電線管の直径の２倍とする、円筒形の肉厚は３ｍ／ｍとし、ツバ部分の肉厚は１０ｍ／ｍから２０ｍ／ｍとする。
材質は合成樹脂製とする。
【図面の簡単な説明】
【０００７】
【図１】既設配管の電線入替作業時配線と配管の角度図。
【図２】本考案に係る通線保護ブッシング入り配管の配線状況図。
【図３】本考案に係る通線保護ブッシングの拡大図とサイズ例。
【図４】本考案に係る一辺に割り込み入りタイプ通線保護ブッシングの拡大図。
【符号の説明】
【０００８】１      既設ハンドホール
２      埋設既設配管
３      電線入替作業時入替角度
４      入替作業時電線の損傷しやすい箇所
５      本考案の通線保護ブッシング
【手続補正３】
【補正対象書類名】図面
【補正対象項目名】全図
【補正方法】変更
【補正の内容】
【図１】
0003141228.tif 000007
【図２】
0003141228.tif 000008
【図３】
0003141228.tif 000009
【図４】
0003141228.tif 000010